(57)【要約】【課題】  動画撮影に用いる補助光の輝度のばらつきを抑えた充電動作を行うことを目的とする。【解決手段】  ＬＥＤ（３２５）を発光させているときの主コンデンサ（４１７）への充電動作における充電電流の最大値が、ＬＥＤ（３２５）を発光させていないときの充電電流の最大値よりも小さくなるように制御する。【選択図】  図１３
2012063600.tif 000002
【特許請求の範囲】
【請求項１】
同一の電源を用いて、閃光発光を行う第１の発光手段及び継続発光を行う第２の発光手段を発光させる発光装置であって、
前記電源を用いて前記第１の発光手段を発光させるための電荷を蓄積するコンデンサと、
前記第２の発光手段の発光動作、あるいは、前記コンデンサに電荷を蓄積させる充電動作を制御する制御手段と、を有し、
前記制御手段は、前記第２の発光手段を発光させているときの前記充電動作における充電電流の最大値が、前記第２の発光手段を発光させていないときの前記充電電流の最大値よりも小さくなるように制御することを特徴とする発光装置。
【請求項２】
前記制御手段は、前記第２の発光手段を発光させていないときの前記充電電流の最大値よりも小さい上限値を設定し、前記第２の発光手段を発光させているときは前記充電電流が前記上限値を超えないように前記充電動作を制御することを特徴とする請求項１に記載の発光装置。
【請求項３】
前記制御手段は、前記充電動作を行っている際に、前記充電電流が所定値を超えているときは前記第２の発光手段の発光を禁止し、前記充電電流が前記所定値を超えていないときは前記第２の発光手段の発光を許可することを特徴とする請求項１に記載の発光装置。
【請求項４】
同一の電源を用いて、閃光発光を行う第１の発光手段及び継続発光を行う第２の発光手段を発光させる発光装置を備えた撮像装置であって、
前記電源を用いて前記第１の発光手段を発光させるための電荷を蓄積するコンデンサと、
前記第２の発光手段の発光動作、あるいは、前記コンデンサに電荷を蓄積させる充電動作を制御する制御手段と、を有し、
前記制御手段は、前記第２の発光手段を発光させているときの前記充電動作における充電電流の最大値が、前記第２の発光手段を発光させていないときの前記充電電流の最大値よりも小さくなるように制御することを特徴とする撮像装置。
【請求項５】
前記制御手段は、前記第２の発光手段を発光させていないときの前記充電電流の最大値よりも小さい上限値を設定し、前記第２の発光手段を発光させているときは前記充電電流が前記上限値を超えないように前記充電動作を制御することを特徴とする請求項４に記載の撮像装置。
【請求項６】
前記制御手段は、前記充電動作を行っている際に、前記充電電流が所定値を超えているときは前記第２の発光手段の発光を禁止し、前記充電電流が前記所定値を超えていないときは前記第２の発光手段の発光を許可することを特徴とする請求項４に記載の撮像装置。
【請求項７】
同一の電源を用いて、閃光発光を行う第１の発光手段及び継続発光を行う第２の発光手段を発光させる発光装置と、当該発光装置を発光させて撮影を行う撮像装置とを含むカメラシステムであって、
前記電源を用いて前記第１の発光手段を発光させるための電荷を蓄積するコンデンサと、
前記第２の発光手段の発光動作、あるいは、前記コンデンサに電荷を蓄積させる充電動作を制御する制御手段と、を有し、
前記制御手段は、前記第２の発光手段を発光させているときの前記充電動作における充電電流の最大値が、前記第２の発光手段を発光させていないときの前記充電電流の最大値よりも小さくなるように制御することを特徴とするカメラシステム。
【請求項８】
前記制御手段は、前記第２の発光手段を発光させていないときの前記充電電流の最大値よりも小さい上限値を設定し、前記第２の発光手段を発光させているときは前記充電電流が前記上限値を超えないように前記充電動作を制御することを特徴とする請求項７に記載のカメラシステム。
【請求項９】
前記制御手段は、前記充電動作を行っている際に、前記充電電流が所定値を超えているときは前記第２の発光手段の発光を禁止し、前記充電電流が前記所定値を超えていないときは前記第２の発光手段の発光を許可することを特徴とする請求項７に記載のカメラシステム。
【発明の詳細な説明】
【技術分野】
【０００１】
本発明は、閃光発光と継続発光とが可能な発光装置に関し、特に閃光発光を行うための充電動作時の制御に関するものである。
【背景技術】
【０００２】
従来、デジタルカメラ等の撮像装置には、被写体輝度が低い場合に発光装置による補助光を被写体に照射して撮影を行うものがある。このような発光装置では、補助光を照射する光源としてキセノン管やＬＥＤなどが用いられている。
【０００３】
特許文献１では、照明手段として、通常撮影用のキセノン管と接写撮影用のＬＥＤとを備えた、閃光発光装置が提案されている。
【先行技術文献】
【特許文献】
【０００４】
【特許文献１】特開平１０−２０６９４２号公報
【発明の概要】
【発明が解決しようとする課題】
【０００５】
しかしながら、特許文献１に記載の閃光発光装置では、動画撮影用の補助光としてＬＥＤを点灯する場合に以下のような課題が生じる。動画撮影用のＬＥＤを点灯中にキセノン管を発光させるための主コンデンサに充電を行うと、主コンデンサとＬＥＤが電源を共用しているためＬＥＤに供給される電流が低下する。そのため、ＬＥＤの輝度にばらつきができてしまい、明るさにムラが生じ好適な動画像が得られなくなってしまう。
【０００６】
本発明は、上記課題を鑑みてなされたものであり、動画撮影に用いる補助光の輝度のばらつきを抑えた充電動作を行うことを目的とする。
【課題を解決するための手段】
【０００７】
上記目的を達成するために、本願発明にかかる発光装置は、同一の電源を用いて、閃光発光を行う第１の発光手段及び継続発光を行う第２の発光手段を発光させる発光装置であって、前記電源を用いて前記第１の発光手段を発光させるための電荷を蓄積するコンデンサと、前記第２の発光手段の発光動作、あるいは、前記コンデンサに電荷を蓄積させる充電動作を制御する制御手段と、を有し、前記制御手段は、前記第２の発光手段を発光させているときの前記充電動作における充電電流の最大値が、前記第２の発光手段を発光させていないときの前記充電電流の最大値よりも小さくなるように制御することを特徴とする。
【０００８】
また、上記目的を達成するために、本願発明にかかる撮像装置は、同一の電源を用いて、閃光発光を行う第１の発光手段及び継続発光を行う第２の発光手段を発光させる発光装置を備えた撮像装置であって、前記電源を用いて前記第１の発光手段を発光させるための電荷を蓄積するコンデンサと、前記第２の発光手段の発光動作、あるいは、前記コンデンサに電荷を蓄積させる充電動作を制御する制御手段と、を有し、前記制御手段は、前記第２の発光手段を発光させているときの前記充電動作における充電電流の最大値が、前記第２の発光手段を発光させていないときの前記充電電流の最大値よりも小さくなるように制御することを特徴とする。
【０００９】
また、上記目的を達成するために、本願発明にかかるカメラシステムは、同一の電源を用いて、閃光発光を行う第１の発光手段及び継続発光を行う第２の発光手段を発光させる発光装置と、当該発光装置を発光させて撮影を行う撮像装置とを含むカメラシステムであって、前記電源を用いて前記第１の発光手段を発光させるための電荷を蓄積するコンデンサと、前記第２の発光手段の発光動作、あるいは、前記コンデンサに電荷を蓄積させる充電動作を制御する制御手段と、を有し、前記制御手段は、前記第２の発光手段を発光させているときの前記充電動作における充電電流の最大値が、前記第２の発光手段を発光させていないときの前記充電電流の最大値よりも小さくなるように制御することを特徴とする。
【発明の効果】
【００１０】
本発明によれば、動画撮影に用いる補助光の輝度のばらつきを抑えた充電動作を行うことで、明るさにムラが生じない好適な動画像を得ることができる。
【図面の簡単な説明】
【００１１】
【図１】本発明の実施例に係るカメラシステムの構成を示すブロック図
【図２】実施例１のカメラシステムにおける動作タイミング図
【図３】本発明の実施例に係るカメラシステムにおける補助発光部の電気回路図
【図４】実施例１のカメラシステムにおける充電回路の電気回路図
【図５】実施例２のカメラシステムにおける充電回路の電気回路図
【図６】実施例１のカメラシステムにおける充電回路の動作タイミング図
【図７】実施例２のカメラシステムにおける充電回路の動作タイミング図
【図８】実施例２のカメラシステムにおける動作タイミング図
【図９】実施例３のカメラシステムにおける動作タイミング図
【図１０】本発明の実施例に係るカメラシステムにおける撮影時のフローチャート図
【図１１】本発明の実施例に係るカメラシステムにおける撮影時のフローチャート図
【図１２】本発明の実施例に係るカメラシステムにおける動画撮影時処理のフローチャート図
【図１３】実施例１のカメラシステムにおける充電動作のフローチャート図
【図１４】実施例１のカメラシステムにおける充電動作のフローチャート図
【発明を実施するための形態】
【００１２】
以下に、本発明の好ましい実施の形態を、添付の図面に基づいて詳細に説明する。
【実施例１】
【００１３】
図１は本発明の実施例１に係るカメラシステム（撮像装置、レンズユニット、発光装置から成る）の構成を示すブロック図である。１００は撮像装置であるデジタルカメラのカメラ本体を、２００はレンズユニットを、３００は発光装置であるストロボ装置を、それぞれ示している。
【００１４】
まず、カメラ本体１００内の構成について説明する。１０１はカメラ本体１００の各部を制御するマイクロコンピュータＣＣＰＵ（以下、カメラマイコン）である。１０２は赤外カットフィルタやローパスフィルタ等を含むＣＣＤ，ＣＭＯＳ等の撮像素子であり、後述のレンズ群２０２によって撮影時に被写体の像が結像される。１０３はシャッターであり、非撮影時には閉じて撮像素子１０２を遮光し、撮影時には開いて撮像素子１０２へ光線を導く。１０４は主ミラー（ハーフミラー）で非撮影時にレンズ群２０２より入射する光の一部を反射し１０５のピント板に結像させる。
【００１５】
１０６は測光回路で、この回路内の測光センサーは撮像画面を複数の測光領域に分割しそれぞれの測光領域で測光を行う。１０７は焦点検出回路で、回路内の測距センサーは撮像画面に複数の測距ポイントが設けられており、測光センサーの測光領域に対応した位置に測距ポイントが設けられるよう構成されている。
【００１６】
１０８は撮像素子１０２から出力される信号を増幅させるゲインを切換えするためのゲイン切換え回路であり、ゲインの切換えは撮影の条件や撮影者の入力等によりカメラマイコン１０１が切換えを行う。１０９は増幅された撮像素子１０２からのアナログ信号をデジタル信号に変換するＡ／Ｄ変換器で、１１０は撮像素子１０２の増幅された信号入力とＡ／Ｄ変換器１０９の変換タイミングを同期させるためのタイミングジェネレータ（ＴＧ）である。１１１はＡ／Ｄ変換器１０９でデジタル信号に変換された画像データをパラメータにしたがって画像処理を行うデジタル信号処理回路である。
【００１７】
ＳＣはカメラ本体１００とレンズユニット２００及びストロボ装置３００とのインタフェースの信号ラインである。例えば、カメラマイコン１０１をホストとしてデータの交換やコマンドの伝達を相互に行う。これにより、ストロボ装置３００への発光開始信号などの通信を可能にしている。同様に、ＳＣは後述するレンズマイコン２０１とのインタフェースであり、レンズマイコン２０１からカメラマイコン１０１にデータを送信する端子を有し、カメラマイコン１０１とレンズマイコン２０１間で通信を可能にしている。
【００１８】
１１２は各種情報を入力するための入力部で、撮像素子１０２のゲインの設定を入力することや、スイッチやボタンなどでカメラの設定などを入力することが可能である。１１３は各種設定されたモードやその他の撮影情報などを表示する、液晶装置や発光素子などからなる表示部である。
【００１９】
１１４はペンタプリズムで、ピント板１０５の被写体像を測光回路１０６内の測光センサー及び不図示の光学ファインダーに導く。１１５はサブミラーで、レンズ群２０２より入射し主ミラー１０４を透過した光線を焦点検出回路１０７の測距センサーへ導く。
【００２０】
次に、レンズユニット２００内の構成と動作について説明する。
２０１はレンズユニット２００の各部の動作を制御するマイクロコンピュータＬＰＵ（以下、レンズマイコン）である。２０２は複数枚で構成されたレンズ群である。２０３はレンズ群２０２の焦点位置合わせ用の光学系を移動させるレンズ駆動回路であり、レンズ群２０２の駆動量は、カメラ本体１００内にある焦点検出回路１０７の出力に基づいてカメラマイコン１０１内にて算出される。２０４はレンズ群２０２の位置を検出するエンコーダである。算出された駆動量はカメラマイコン１０１からレンズマイコン２０１に通信され、エンコーダ２０４の駆動情報により駆動量分だけレンズマイコン２０１がレンズ駆動回路２０３を動作させ、レンズ群２０２を合焦位置へ移動させる。２０５は絞りで、２０６は絞り制御回路であり、絞り２０５は絞り制御回路２０６を介してレンズマイコン２０１により制御される。
【００２１】
次に、ストロボ装置３００の構成について説明する。
３１０はストロボ装置３００の各部の動作を制御するマイクロコンピュータＦＰＵ（以下、ストロボマイコン）である。３０１はストロボの電源（ＶＢＡＴ）としての電池であり、後述の放電管３０７及びＬＥＤ３２５を発光させるのに用いる同一の電源である。３０２は電池３０１の電圧を数百Ｖに昇圧させる充電回路で後述の主コンデンサに発光のためのエネルギーを蓄積させる。この充電動作により電源電圧が低下する。詳細は後述の図４で説明する。
【００２２】
３０７は放電管であり、後述の主コンデンサに充電されたエネルギーをトリガー回路３０６から印加される数ＫＶのパルス電圧を受け励起することで発光し、その光を被写体に照射する。３０８はトリガー回路３０６と共に放電管３０７の発光の開始を制御し、さらに発光の停止を制御する発光制御回路である。
【００２３】
３２３は放電管３０７の発光量を受光するセンサーとしてのフォトダイオードであり、直接またはグラスファイバーなどを介して放電管３０７の光を受光する。３０９はフォトダイオード３２３の受光電流を積分する積分回路であり、その出力は３１２のコンパレータの反転入力端子とストロボマイコン３１０のＡ／Ｄコンバータ端子に入力される。コンパレータ３１２の非反転入力はストロボマイコン３１０内のＤ／Ａコンバータ出力端子に接続され、コンパレータ３１２の出力は３１１のＡＮＤゲートの入力端子に接続される。ＡＮＤゲート３１１のもう一方の入力はストロボマイコン３１０の発光制御端子と接続され、ＡＮＤゲート３１１の出力は発光制御回路３０８に入力される。
【００２４】
３１５は反射傘、３１６はパネル等から成りストロボ装置３００の照射角を変更するズーム光学系である。ここで、反射傘３１５とズーム光学系３１６の距離を所定の位置に変更することにより、被写体への照射ガイドナンバー及び配光を変化させることが可能となる。
【００２５】
３１３はモーター等から成るズーム光学系３１６を移動させるズーム駆動部であり、ズーム光学系３１６の駆動量はストロボマイコン３１０のズーム制御端子より信号を受け駆動される。このズーム駆動量はレンズマイコン２０１からカメラマイコン１０１を介して通信された焦点距離情報に応じてストロボマイコン３１０で演算される。
【００２６】
３１４はズーム光学系３１６のズーム位置を検出するエンコーダ等の位置検出部であり、ストロボマイコン３１０の位置信号端子に移動情報を与え、ストロボマイコン３１０の位置信号端子にて必要な駆動量分だけズーム駆動部３１３内のモータを駆動させる。
【００２７】
３２０は各種情報を入力するための入力部（入力インタフェース）であり、例えばストロボ装置３００の側面などにスイッチが設置されており、手動によりズーム情報を入力することも可能である。３２１はストロボ装置３００の各状態を表示する表示部である。
【００２８】
３２２は定電圧回路で電池３０１から一定電圧の出力（例えばＶ１出力）を行う。３２４は、後述の補助発光部である動画撮影用のＬＥＤ３２５の光量を制御するＬＥＤ制御回路で、例えばストロボマイコン３１０の信号により、あらかじめ設定されたＬＥＤの定電流でＬＥＤを発光させる。
【００２９】
ＬＥＤ３２５は、例えば白色の高輝度ＬＥＤなどの発光素子からなり、ＬＥＤ制御回路３２４の指示により照射する構成となっている。３５０はストロボ装置３００の静止画撮影用の発光部である。
【００３０】
次に、図３でＬＥＤ３２５の光量を制御するＬＥＤ制御回路３２４の説明を行う。１００１はＮＰＮトランジスタで、コレクタはＬＥＤ３２５のカソードに接続され、ベースは後述の抵抗１００２、エミッタは後述の抵抗１００４に接続される。１００３はオペアンプで非反転入力はストロボマイコン３１０内のＤ／Ａコンバータのリファレンス出力（ＶＲＥＦ（ＬＥＤ）に接続され、反転入力は後述の抵抗１００４の一端に接続され抵抗１００４の端子電圧を検出する。オペアンプ１００３の出力は抵抗１００２を介してＮＰＮトランジスタ１００１のベースに接続される。１００４は抵抗で、一端をＮＰＮトランジスタ１００１のエミッタとオペアンプ１００３の非反転入力に接続され、他端は電源（ＶＢＡＴ）３０１の負極に接続される。なお、ＬＥＤ３２５のアノードには電源（ＶＢＡＴ）３０１の正極が接続されている。
【００３１】
次にＬＥＤの点灯動作について説明する。ストロボマイコン３１０内のＤ／Ａコンバータのリファレンス出力を０Ｖから設定された電圧ＶＲＥＦ（ＬＥＤ）を出力する。このＶＲＥＦ（ＬＥＤ）に対して定電流ｉＬＥＤ（ＬＥＤ）は、ｉＬＥＤ（ＬＥＤ）＝ＶＲＥＦ（ＬＥＤ）／Ｒ０で示され、この定電流ｉＬＥＤ（ＬＥＤ）がＬＥＤ３２５に供給される。ここでＲ０は抵抗１００４の抵抗値である。
【００３２】
なお、この定電流ｉＬＥＤ（ＬＥＤ）は前述のようにストロボマイコン３１０内のＤ／Ａコンバータのリファレンス出力電圧ＶＲＥＦ（ＬＥＤ）のレベルを変更することで、様々な値に変更することができる。
【００３３】
このように、動画撮影時の被写体の輝度情報に応じて、ストロボマイコン３１０はリファレンス出力電圧ＶＲＥＦ（ＬＥＤ）を変更させることでＬＥＤ３２５に供給される定電流の切換えを行い、ＬＥＤ３２５の発光量を変えることができる。
【００３４】
次に図４で充電回路３０２の制御回路の説明を行う。フォワード方式の充電回路３０２−１の構成について以下に述べる。４０１は抵抗で、一端は定電圧回路３２２のＶ１出力及び後述のＰＮＰトランジスタ４０３のエミッタに接続され、他端はＰＮＰトランジスタ４０３のベース及び抵抗４０２に接続される。４０２は抵抗で、一端はＰＮＰトランジスタ４０３のベース及び抵抗４０１に接続され、他端はストロボマイコン３１０のＣＨＧ＿ＯＮ端子に接続される。
【００３５】
４０３はＰＮＰトランジスタで、ベースに抵抗４０１及び抵抗４０２が接続され、エミッタに定電圧回路３２２及び抵抗４０１が接続され、コレクタに抵抗４０４が接続され、充電開始のスイッチとして機能する。ストロボマイコン３１０のＣＨＧ＿ＯＮ端子がＬｏレベルになると充電が開始される。
【００３６】
４０４は抵抗で、一端はＰＮＰトランジスタ４０３のコレクタに接続され、他端は後述の抵抗４０５と後述のＡＮＤ回路４０７の入力ＩＮ２とＡＮＤ回路４０８の入力ＩＮ２に接続される。４０５は抵抗で、一端は抵抗４０４とＡＮＤ回路４０７の入力ＩＮ２とＡＮＤ回路４０８の入力ＩＮ２に接続され、他端は電池３０１の負極に接続される。
【００３７】
４０６は論理回路でＮＯＴ回路であり、入力ＩＮはストロボマイコン３１０のＣＨＧ＿ＣＬＫ端子に接続され、出力ＯＵＴは後述の論理回路でＡＮＤ回路４０７の入力ＩＮ１に接続される。ＣＨＧ＿ＣＬＫ端子は公知の他励式プッシュプルのフォワード回路の基準クロック出力端子で一定の矩形波がストロボマイコン３１０より出力される。４０７は論理回路でＡＮＤ回路であり、入力ＩＮ１はＮＯＴ回路の出力ＯＵＴと接続され、入力ＩＮ２は抵抗４０４と抵抗４０５に接続される。出力ＯＵＴは抵抗４１２に接続される。４０８は論理回路でＡＮＤ回路であり、入力ＩＮ１はＮＯＴ回路の入力ＩＮとストロボマイコン３１０のＣＨＧ＿ＣＬＫ端子に接続され、入力ＩＮ２はＡＮＤ回路４０７の入力ＩＮ２と抵抗４０４と抵抗４０５に接続される。出力ＯＵＴは抵抗４１２の一端に接続される。
【００３８】
４０９は抵抗で、一端はＡＮＤ回路４０８の出力ＯＵＴに接続され、他端は抵抗４１０と発振ＦＥＴ４１１のゲートに接続される。４１０は抵抗で、一端は抵抗４０９と発振ＦＥＴ４１１のゲートに接続され、他端は電池３０１の負極に接続される。
【００３９】
４１１は発振ＦＥＴで、充電動作を行うためのスイッチ素子であり、ＮチャネルＦＥＴで構成している。プッシュプル方式の２つある発振ＦＥＴの一つである。ゲートは抵抗４０９と抵抗４１０に接続され、ソースは電池３０１の負極に接続される。ドレインは後述の発振トランス４１５の一次巻線の４１５ａに接続される。
【００４０】
４１２は抵抗で、一端はＡＮＤ回路４０７の出力ＯＵＴに接続され、他端は抵抗４１３と発振ＦＥＴ４１４のゲートに接続される。４１３は抵抗で、一端は抵抗４１２と発振ＦＥＴ４１４のゲートに接続され、他端は電池３０１の負極に接続される。
【００４１】
４１４は発振ＦＥＴで充電動作をおこなうためのスイッチ素子であり、ＮチャネルＦＥＴで構成している。プッシュプル方式の２つある発振ＦＥＴの一つである。ゲートは抵抗４１２と抵抗４１３に接続され、ソースは電池３０１の負極に接続される。ドレインは後述の発振トランス４１５の一次巻線の４１５ｃに接続される。
【００４２】
４１５は発振トランスで、一次巻線は４１５ａと４１５ｄ間で４１５ｂ、４１５ｃで分割されている。二次巻線は４１５ｅと４１５ｆ間で構成されている。４１６はブリッジダイオードで４１６ｊ、４１６ｇ、４１６ｈ、４１６ｉで構成されている。
【００４３】
４１７は主コンデンサで、発光のためのエネルギーを蓄積させるコンデンサである。４１８は抵抗で、一端は主コンデンサ４１７の正極に接続される。他端は後述の抵抗４１９とストロボマイコン３１０のＡ／Ｄ変換端子のＭＣ＿Ｖ端子に接続される。４１９は抵抗で、一端は抵抗４１８とストロボマイコン３１０のＡ／Ｄ変換端子のＭＣ＿Ｖ端子に接続され、他端は主コンデンサ４１７の負極に接続される。
【００４４】
このように主コンデンサ４１７に充電された電圧は電圧検出回路として機能する抵抗４１８、４１９により分圧され、分圧された電圧はストロボマイコン３１０のＡ／Ｄ変換端子に入力される。分圧された電圧は主コンデンサの電圧に比例しており、主コンデンサが発光に必要な電圧レベルを検出したら充電を停止する。
【００４５】
充電回路３０２−１は上述した４０１から４１９の要素で構成される。この充電回路３０２−１の充電動作により電池３０１の電流が引かれ、電源電圧が急激に低下する。
【００４６】
次に３０６のトリガー回路の構成を説明する。トリガー回路３０６は以下の５０１から５０３の要素で構成される。５０１は抵抗で、一端は主コンデンサ４１７の正極に接続され、他端は後述のトリガーコンデンサ５０２と後述のＩＧＢＴ６０３のドレインに接続される。この抵抗５０１は、トリガーコンデンサに電流を流すための抵抗である。
【００４７】
５０２はトリガーコンデンサで、一端は抵抗５０１とＩＧＢＴ６０３のドレインに接続され、他端は後述のトリガートランス５０３の１次側巻線に接続される。このトリガーコンデンサ５０２は、トリガートランス５０３の一次側巻線に発光のためのパルスを発生させるものである。
【００４８】
５０３はトリガートランスで、一次側巻線の一端はトリガーコンデンサ５０２に接続され、二次側巻線の一端は後述の放電管のトリガーに接続される。一次側巻線と二次側巻線の他端は主コンデンサ４１７の負極に接続される。
【００４９】
３０７は放電管であり、主コンデンサ４１７に充電されたエネルギーをトリガー回路３０６から印加される数ＫＶのパルス電圧を受け励起する事で発光し、その光を被写体に照射する。放電管３０７の陽極は主コンデンサ４１７の正極に接続され、陰極は後述のＩＧＢＴ６０６のコレクタに接続される。３０８はトリガー回路３０６と共に放電管３０７の発光の開始を制御し、さらに発光の停止を制御する発光制御回路である。
【００５０】
発光制御回路３０８は以下の６０１から６０６の要素で構成される。６０１は抵抗で、一端はストロボマイコン３１０のＴＲＧ端子に接続され、他端はＩＧＢＴ６０３のゲートに接続される。６０２は抵抗で、一端は主コンデンサ４１７の負極に接続され、他端は後ＩＧＢＴ６０３のゲートに接続される。
【００５１】
６０３は発光用のＩＧＢＴで、ゲートは抵抗６０１と抵抗６０２に接続され、ドレインは抵抗５０１に、ソースは主コンデンサ４１７の負極に接続される。
【００５２】
６０４は抵抗で、一端はストロボマイコン３１０のＳＴＰ端子に接続され、他端は後ＩＧＢＴ６０６のゲートに接続される。６０５は抵抗で、一端は主コンデンサ４１７の負極に接続され、他端はＩＧＢＴ６０６のゲートに接続される。
【００５３】
６０６は発光停止用のＩＧＢＴで、ゲートは抵抗６０４と抵抗６０５に接続され、ドレインは放電管３０７の陰極に接続され、ソースは主コンデンサ４１７の負極に接続される。
【００５４】
２０００は充電電流制限回路で、電池３０１と充電回路３０２−１に接続される。充電電流制限回路２０００は以下の２００１から２００３の要素で構成される。
【００５５】
２００１は抵抗で、一端は電池３０１の正極に接続され、他端は後述のコンパレータ２００３の正極入力に接続される。２００２は抵抗で、一端は後述のコンパレータ２００３の正極入力に接続され、他端は電池３０１の負極に接続される。２００３はコンパレータで、正極入力は抵抗２００１と抵抗２００２の分圧点に接続され、負極入力はストロボマイコン３１０のＤ／Ａ変換端子のＶＲＥＦ（ＰＷＲ）端子に接続される。出力は充電回路３０２−１のＡＮＤ回路４０７の入力ＩＮ２とＡＮＤ回路４０８の入力ＩＮ２に接続される。
【００５６】
次に、図２を用いて放電管３０７の発光を伴う静止画撮影とそれに続く充電動作及び動画撮影時の補助光動作について説明する。  図２（ａ）は、カメラ本体１００のカメラマイコン１０１で制御される撮影状態判別信号でＬｏレベルで動画撮影、Ｈｉレベルで静止画撮影を示している。図２（ｂ）は、補助発光手段であるＬＥＤ制御回路３２４とＬＥＤ３２５により消費されるストロボ装置３００の電池３０１の電流を示している。図２（ｂ）では、一例としてＬＥＤ３２５が点灯すると３００ｍＡ消費する場合を示している。図２（ｃ）は、ストロボ装置３００の電池３０１の電池電圧を示す。ＬＥＤ３２５が点灯すると電池電圧が下がり、例ではａ（Ｖ）まで下がる。図２（ｄ）は、カメラ本体１００による静止画撮影のレリーズのタイミングを示す。図２（ｅ）は、ストロボ装置３００による放電管３０７の本発光（ストロボ発光）のタイミングを示す。図２（ｆ）は、ストロボ装置３００による放電管３０７の本発光後に主コンデンサ４１７の充電を行うための充電信号のタイミングを示す。図２（ｇ）は、ストロボ装置３００による主コンデンサ４１７の充電により消費される電池３０１の電流を示している。
【００５７】
図２（ａ）で示すタイミングで静止画撮影が行なわれた場合、図２（ｄ）のように静止画撮影のレリーズが行なわれ、図２（ｅ）のように放電管３０７の本発光が行われて、図２（ｆ）のように主コンデンサ４１７の充電が行なわれる。このとき主コンデンサ４１７の充電電流は図２（ｇ）のように充電開始時に急峻に立ち上がる。
【００５８】
静止画撮影後にＬＥＤ３２５を点灯させた動画撮影を再開させる場合、ＬＥＤ３２５の点灯中に主コンデンサ４１７の充電動作が重畳される。ストロボ充電動作が重畳されることで、ＬＥＤ制御回路３２４とＬＥＤ３２５に供給されるＬＥＤ電流は図２（ｂ）のように不安定になり、ＬＥＤ３２５の発光に揺らぎが生じる。
【００５９】
そのため、本実施例では、図２（ｇ−２）のようにストロボ装置３００の充電回路３０２により充電立ち上がり時の充電電流を制限することでＬＥＤ電流を安定させる。
【００６０】
次に、静止画撮影時のカメラマイコン１０１の具体的な動作について、図１０、図１１のフローチャートを用いて説明する。
【００６１】
不図示の電源スイッチがオンされてカメラ本体１００のカメラマイコン１０１が動作可能となると、カメラマイコン１０１は、図１０のステップＳ１から所定の動作を開始する。
【００６２】
ステップＳ１では、カメラマイコン１０１自身のメモリやポートの初期化を行う。また入力部１１２より入力された各種スイッチの状態や予め設定された入力情報を読み込み、シャッタースピードの決め方や、絞りの決め方等様々な撮影モードの設定を行う。
【００６３】
ステップＳ２では、図示しないシャッターボタンの半押し状態であるＳＷ１がＯＮか否かを判別し、ＯＦＦのときはステップＳ２を繰り返し、ＯＮのときはステップＳ３に進む。
【００６４】
ステップＳ３では、レンズユニット２００内のレンズマイコン２０１と通信ラインＳＣを介して通信を行う。そして、レンズユニット２００の焦点距離情報（以下、レンズの焦点距離情報）や測距、測光に必要な光学情報などのレンズ情報を取得する。
【００６５】
ステップＳ４では、カメラ本体１００にストロボ装置３００が装着されているか否かを判定する。カメラ本体１００にストロボ装置３００が装着されているならばステップＳ５へ進み、未装着ならばステップＳ６へ進む。
【００６６】
ステップＳ５では、カメラマイコン１０１はストロボマイコン３１０と通信ラインＳＣを介して通信を行い、ステップＳ３にて取得したレンズの焦点距離情報をストロボマイコン３１０に出力する。これにより、ストロボマイコン３１０は受信したレンズの焦点距離情報に基づいてズーム駆動部３１３を駆動し、エンコーダ３１４で位置を検出してストロボの照射角を制御する。
【００６７】
ステップＳ６では、ステップＳ１にて設定されたカメラの撮影モードのうち、カメラが自動焦点検出動作を行うモード（ＡＦモード）であるか、自動焦点検出動作を行わないモード（ＭＦモード）であるかを判定する。ステップＳ６でＡＦモードであればステップＳ７に進み、ＭＦモードであれば、ステップＳ９へ進む。
【００６８】
ステップＳ７では、焦点検出回路１０７を駆動することにより周知の位相差検出法による焦点検出動作を行う。また、ステップＳ７では、複数の測距点からどの測距ポイントに焦点を合わせるかについては、入力部１１２により入力し設定されたポイントまたはカメラの撮影モードなどに応じて決定する。
【００６９】
ステップＳ８では、ステップＳ７で決定された測距ポイントをカメラマイコン１０１内の図示しないＲＡＭ（ランダムアクセスメモリー）に記憶させる。さらに、ステップＳ８ではカメラマイコン１０１は焦点検出回路１０７の情報に基づきレンズ群２０２の駆動量を演算する。カメラマイコン１０１はレンズユニット２００内のレンズマイコン２０１と通信ラインＳＣを介して通信を行い、前記演算結果に基づきレンズマイコン２０１はレンズ駆動回路２０３を制御してレンズ群２０２を合焦位置に駆動しステップＳ９へ進む。
【００７０】
ステップＳ９では、撮影画面を６つの測光領域に分割して測光領域毎に被写体輝度値を測光回路１０６により取得する。その輝度値は、ＥＶｂ（ｉ）（ｉ＝０〜５）として、ＲＡＭに記憶させる。
【００７１】
ステップＳ１０では、入力部１１２より入力されたゲイン設定情報に基づくゲイン設定処理をゲイン切換え回路１０８により行う。入力部１１２より入力されたゲイン設定とは、例えばＩＳＯ感度の設定である。また、ステップＳ１０では、カメラマイコン１０１はストロボマイコン３１０と通信ラインＳＣを介して通信を行い、ゲイン設定情報をストロボマイコン３１０に出力する。
【００７２】
ステップＳ１１では、ステップＳ９での測光結果である、複数の測光領域の被写体輝度値ＥＶｂから静止画撮影時に放電管３０７を発光させる必要があるか否かを判断する。そして、放電管３０７の発光を伴う静止画撮影（発光撮影）に適したシャッタースピード（Ｔｖ）と絞り値（Ａｖ）、あるいは、放電管３０７を発光させない静止画撮影（非発光撮影）に適したシャッタースピード（Ｔｖ）と絞り値（Ａｖ）を決定する。
【００７３】
ステップＳ１２では、動画撮影を行う否かの判定を含む動画撮影時処理のサブルーチンを行いステップＳ１３へ進む。動画撮影時処理のサブルーチンについての説明は、図１２を用いて後述する。
【００７４】
ステップＳ１３では、図示しない撮影開始のスイッチであるＳＷ２がＯＮであるか否かを判定し、ＯＦＦであればステップＳ２に戻り、ＯＮであれば図１１に示したフローチャートにあるステップＳ１４に進み一連のレリーズ動作を行う。レリーズ動作について図１１のフローチャートを用いて説明する。
【００７５】
ステップＳ１４では、ストロボ装置３００の放電管３０７を発光させて静止画撮影を行うか否かを判定する。放電管３０７を発光させる場合はステップＳ１５へ進み、発光させない場合はステップＳ２９へ進む。
【００７６】
ステップＳ１５では、主コンデンサ４１７の充電電圧が放電管３０７の発光に必要な電圧レベルにまで達したことを示す充電完了信号を、ストロボマイコン３１０から通信ラインＳＣを介して取得しているか否かを判定する。充電完了信号を取得している場合はステップＳ１５へ進み、充電完了信号を取得していない場合は発光撮影ができないのでステップＳ２９へ進む。
【００７７】
ステップＳ１６では、ストロボ装置３００のプリ発光の直前に外光輝度を測光するために被写体輝度を測光回路１０６により取得する。６分割された測光領域の各輝度値は、ＥＶａ（ｉ）（ｉ＝０〜５）として、図示しないＲＡＭに記憶させる。
【００７８】
ステップＳ１７では、カメラマイコン１０１はストロボマイコン３１０に対してＳＣラインを介してプリ発開始信号を出力する。ストロボマイコン３１０はプリ発光開始信号に従って、発光制御回路３０８、トリガー回路３０６を制御して発光を行い被写体に照射するプリ発光動作を行う。
【００７９】
ステップＳ１８では、カメラマイコン１０１はプリ発光時の被写体輝度を測光回路１０６により取得する。６分割された測光領域の各輝度値は、ＥＶｆ（ｉ）（ｉ＝０〜５）として、ＲＡＭに記憶させる。
【００８０】
ステップＳ１９では、カメラマイコン１０１は露光動作に先立って主ミラー１０４をアップさせ、撮影光路内から退去させる。なお、直前まで動画撮影を行っていて主ミラーがアップしている状態であれば、このステップは省略すればよい。
【００８１】
ステップＳ２０では、下記の式１のようにステップＳ１８で取得したプリ発光時の被写体輝度値ＥＶｆとＳ１６で取得したプリ発光直前の被写体輝度値（外光輝度）ＥＶａとの差分を取り、プリ発光の反射光成分のみの輝度値ＥＶｄｆ（ｉ）を抽出する。プリ発光の反射光成分の抽出は６つの測光領域毎に行われる。
ＥＶｄｆ（ｉ）←ＬＮ２（２＾ＥＶｆ（ｉ）−２＾ＥＶａ（ｉ））（ｉ＝０〜５）    （式１）
【００８２】
ステップＳ２１では、ストロボ装置３００よりプリ発光時の発光量を表すガイドナンバー（Ｑｐｒｅ）データを取得する。ここで、プリ発光のガイドナンバー（Ｑｐｒｅ）は、主コンデンサ４１７のプリ発光直前の充電電圧やズーム位置により変化する。そのため、ストロボマイコン３１０がズーム位置に対応したガイドナンバーや主コンデンサ４１７の充電電圧などから補正し求めた値をカメラマイコン１０１は取得する。
【００８３】
ステップＳ２２では、測距ポイント（Ｆｏｃｕｓ．ｐ）、焦点距離（ｆ）、プリ発光のガイドナンバー（Ｑｐｒｅ）およびバウンスフラグ（Ｆ＿Ｂｂｏｕｎｃｅ）等から、放電管３０７を本発光させてどの測光領域の被写体を適正露出にするかを選択する。選択された測光領域をＰ（０〜５のうちのどれか）として、ＲＡＭに記憶させる。
【００８４】
そして、下記の式２のようにして本発光量を演算する。露出値（ＥＶｓ）と被写体輝度（ＥＶｂ）と感度（ゲイン）とプリ発光反射光分のみの輝度値ＥＶｄｆ（ｐ）とから、選択された測光領域（Ｐ）の被写体について、プリ発光量に対して適正となる本発光量の相対比（ｒ）を求める。
ｒ←ＬＮ２（２＾ＥＶｓ−２＾ＥＶｂ（ｐ））−ＥＶｄｆ（ｐ）    （式２）
【００８５】
ここで、露出値（ＥＶｓ）から被写体輝度（ＥＶｂ）の伸張したものの差分をとっているのは、ストロボ光を照射したときの露出が、外光分にストロボ光を加えて適正となるように制御するためである。さらに、下記の式３のようにシャッタースピード（ＴＶ）と、プリ発光の発光時間（ｔ＿ｐｒｅ）と、撮影者により入力部１１２により予め設定された補正係数（ｃ）とを用いて相対比（ｒ）を補正し、新たな相対比ｒを演算する。
ｒ←ｒ＋ＴＶ−ｔ＿ｐｒｅ＋ｃ    （式３）
【００８６】
ここで、シャッタースピード（ＴＶ）とプリ発光の発光時間（ｔ＿ｐｒｅ）を用いて補正するのは、ストロボ回路内で、プリ発光の測光積分値（ＩＮＴｐ）とメイン発光の測光積分値（ＩＮＴｍ）とを正しく比較するためである。
【００８７】
ステップＳ２３では、カメラマイコン１０１はＳＣラインを介してストロボマイコン３１０へ本発光量を表す情報である本発光量情報としてプリ発光量に対する相対値（ｒ）をストロボ装置３００に送信する。
【００８８】
ステップＳ２４では、設定された絞り値（ＡＶ）になるようにレンズマイコン２０１に指示を行うとともに、シャッター制御回路を介してシャッター１０３の走行開始指示を行う。なお、直前まで動画撮影を行っていてシャッター１０３がすでに開放状態の場合には、開放状態を維持させておく。
【００８９】
ステップＳ２５では、本露光に同期してカメラマイコン１０１はＳＣラインを介してストロボマイコン３１０に本発光開始信号を与える。そして、ストロボマイコン３１０は、カメラから送られてきた相対値（ｒ）に基づいて適正な発光量になるように放電管３０７の本発光制御を行う。
【００９０】
発光撮影を行わない場合あるいは充電完了信号を取得していない場合に進むステップＳ３０の処理ではステップＳ２４と同様の処理を行い、ステップＳ３１ではストロボ装置３００を発光させずに本露光を行う。
【００９１】
こうして一連の露光動作が終了すると、ステップＳ２６では、静止画撮影を行うために動画撮影を中断したか否かを判定する。動画撮影を中断していた場合はステップＳ２７へ進み、動画撮影を中断していない場合はステップＳ３２へ進む。
【００９２】
ステップＳ２７では、撮像素子１０２からの出力をゲイン切換え回路１０８で設定されたゲインで増幅した信号をＡ／Ｄ変換器１０９でデジタル信号として変換する。デジタル信号に変換された画素データはホワイトバランスなど所定の現像処理を信号処理回路１１１で行う。なお、ステップＳ２７では、中断時間をできるだけ少なくして動画撮影を再開させるため、上記の現像処理を主ミラー１０４をアップさせたままで行う。
【００９３】
そして、Ｓ２８では、現像処理された画像データを図示しないメモリに記憶してステップＳ２９で動画撮影を再開させる。
【００９４】
静止画撮影のために動画撮影を中断していない場合には、ステップＳ３２で、撮影光路より退去させていた主ミラー１０４をダウンして再び撮影光路内に斜設させる。
【００９５】
その後、ステップＳ３３、ステップＳ３４でステップＳ２７、ステップＳ２８と同様の処理を行い一連のレリーズ動作を終了する。
【００９６】
続いて、図１０に示したフローチャートにおけるステップＳ１２の動画撮影時処理のサブルーチンについて図１２を用いて説明する。
【００９７】
ステップＳ２０１では、カメラ本体１００の入力部１１２の内、動画撮影を開始させる動画撮影釦が押され動画撮影モードになっているかを判定する。動画撮影モードであれば動画撮影モードであることをカメラマイコン１０１内のＲＡＭに記憶してステップＳ２０２へ進み、動画撮影モードでなければ図１０のステップＳ１３へ進む。なお、上述した動画撮影釦が押されて動画撮影モードになると、主ミラー１０４をアップさせるとともにシャッター１０３を開いて、動画撮影を開始させる。
【００９８】
ステップＳ２０２では、図１０のステップＳ９で取得した測光結果に基づいて、動画撮影時に補助光としてＬＥＤ３２５を点灯させるか否かを判別する。ＬＥＤ３２５を点灯させる場合はステップＳ２０３へ進み、ＬＥＤ３２５を点灯させない場合はステップＳ２０４へ進む。
【００９９】
Ｓ２０３では、ＬＥＤ３２５の点灯制御を行う。このとき、ＬＥＤ３２５の発光量は予め決められた所定の発光量でもよいし、ステップＳ９で取得した測光結果に基づいて設定された発光量でもよい。点灯状態であれば、そのままステップＳ２０５へ進む。
【０１００】
ステップＳ２０４では、ＬＥＤ３２５が点灯状態であれば消灯させる。ここでは、必要光量の電流に相当するストロボマイコン３１０内のＤ／Ａコンバータのリファレンス出力電圧ＶＲＥＦ（ＬＥＤ）を０Ｖに設定する。消灯状態であれば、そのままステップＳ２０５へ進む。
【０１０１】
ステップＳ２０５では、静止画撮影用の図示しない撮影開始のスイッチであるＳＷ２がＯＮされたか否かを判定し、ＯＮであればステップＳ２０６へ進み動画撮影を中断し、ＯＦＦであればステップＳ２１４へ進み動画撮影を継続させる。このとき、本実施例では、アップしている主ミラー１０４をダウンさせずにアップ状態を維持させる場合について説明するが主ミラー１０４をダウンさせてもよい。また、開放状態のシャッター１０３を閉じることなく静止画撮影に移行する場合を説明するが、一旦シャッター１０３を遮光状態にしてから静止画撮影を行ってもよい。
【０１０２】
また、ステップＳ２０６では、動画撮影中にＳＷ２がＯＮされ動画撮影を中断したことを示す動画撮影中断情報をカメラマイコン１０１内のＲＡＭに記憶させる。
【０１０３】
ステップＳ２０７では、動画撮影中の補助光としてＬＥＤ３２５を点灯させていたか否かを判定し、点灯状態であったならばステップＳ２０８へ進み、消灯状態であったならばステップＳ２０９へ進む。
【０１０４】
ステップＳ２０８では、ＬＥＤ３２５が点灯状態であることを示すＬＥＤ＿ＯＮ情報をカメラマイコン１０１内のＲＡＭに記憶させ、ステップＳ２１０へ進む。ステップＳ２０８では、ＬＥＤが消灯状態であることを示すＬＥＤ＿ＯＦＦ情報をカメラマイコン１０１内のＲＡＭに記憶させ、ステップＳ２１０へ進む。
【０１０５】
ステップＳ２１０では、ストロボ装置３００の放電管３０７を発光させて静止画撮影を行うか否かを判別する。放電管３０７を発光させる場合はステップＳ２１１へ進み、発光させない場合は図１１のステップＳ１３へ進む。
【０１０６】
ステップＳ２１１では、カメラマイコン１０１はストロボマイコン３１０と通信ラインＳＣを介して通信を行い、静止画撮影前のＬＥＤ３２５の状態を示す情報であるＬＥＤ＿ＯＮ情報やＬＥＤ＿ＯＦＦ情報などをストロボマイコン３１０に出力する。
【０１０７】
ステップＳ２１２では、動画撮影が終了したか否かを判定する。終了していればステップＳ２１３へ進み、終了していなければステップＳ２０２へ進む。ステップＳ２１３では、動画撮影の完了処理を行う。
【０１０８】
続いて、ストロボ装置３００内のストロボマイコン３１０での具体的な動作（ストロボ制御動作）について、図１３のフローチャートと図６の充電回路の動作タイミングを用いて説明する。
【０１０９】
不図示の電源スイッチがオンされてストロボマイコン３１０が動作可能となると、ストロボマイコン３１０はステップＳ１０１より所定の動作を開始する。
【０１１０】
ステップＳ１０１では、ストロボマイコン３１０自身のメモリやポートの初期化を行う。また入力部３２０より入力された各種スイッチの状態や予め設定された入力情報を読み込み、ストロボ撮影モードや発光量等の設定を行う。カメラマイコン１０１よりストロボマイコン３１０と通信ラインＳＣを介して通信があったときは、カメラマイコン１０１からの情報を取得する。また、この取得した情報はストロボマイコン３１０内の図示しないＲＡＭに記憶させる。
【０１１１】
ステップＳ１０２では、動画撮影中にＬＥＤ３２５を点灯させるか否かに応じてストロボ充電電流を変更する充電電流判別を行う。充電電流判別は、図１２のステップＳ２０８、Ｓ２０９で記憶したＬＥＤ＿ＯＮ情報あるいはＬＥＤ＿ＯＦＦ情報に基づいて行い、ＬＥＤ＿ＯＦＦ情報が記憶されていればステップＳ１０３へ進み、ＬＥＤ＿ＯＮ情報が記憶されていればステップＳ１０４へ進む。
【０１１２】
ステップＳ１０３では、充電電流の制限を行わないように、図６の［７］に示すように電池電圧の下限をＶｔｈ０（Ｖ）＝０にする。Ｖｔｈ０（Ｖ）＝０にすることで、充電電流が制限されずにａ１（Ａ）まで電流が流れる。すなわち、動画撮影中にＬＥＤ３２５が消灯している場合には、主コンデンサ４１７の充電電流に上限を設けないようにする。
【０１１３】
ステップＳ１０４では、充電電流の上限がａ２（Ａ）になるように充電電流の上限レベルを設定し、図６の［７］に示すように電池電圧の下限をＶｔｈ１（Ｖ）にする。ここでは、ＶＲＥＦ（ＰＷＲ）端子出力をＶｔｈ０（Ｖ）とすることで充電電流の上限をａ１（Ａ）とし、ＶＲＥＦ（ＰＷＲ）端子出力をＶｔｈ１（Ｖ）とすることで上限をａ２（Ａ）としているが、充電電流の上限を更に細かく設定できるようにしてもよい。また、充電電流の上限電流ａ２（Ａ）は、充電電流の最大値（ここではａ１（Ａ））からＬＥＤ３２５の消費電流（ｉＬＥＤ（ＬＥＤ））を除いた電流とする。
【０１１４】
ステップＳ１０５では、充電回路３０２の充電動作を開始させて発光の準備を行う。そして、ステップＳ１０６にて、カメラマイコン１０１から通信ラインＳＣを介してレンズの焦点距離情報を取得する。そして、カメラマイコン１０１から送信されたレンズの焦点距離情報を自身のメモリ内に記憶（格納）する。また、これ以前にレンズの焦点距離情報を自身のＲＡＭに記憶していたならば、記憶内容を更新する。ステップＳ１０７では、自身のＲＡＭに記憶されているレンズの焦点距離情報を表示部３２１に表示する。
【０１１５】
ステップＳ１０８では、ステップＳ１０６にて取得したレンズの焦点距離情報に基づいて照射角を演算し、演算された照射角になるようにエンコーダ３１４を介してストロボマイコン３１０の位置信号端子に移動情報を与える。そして、ストロボマイコン３１０の位置信号端子にて必要な駆動量分だけズーム駆動部３１３内のモータを動作させ、エンコーダ３１４の位置信号により所定の位置へ動作させる。
【０１１６】
ステップＳ１０９では、主コンデンサ４１７の充電電圧が放電管３０７の発光に必要な電圧レベルにまで達した（充電完了）か否かを判定し、放電管３０７の発光に必要な電圧レベルにまで達していると判定した場合にはステップＳ１１０に進む。ステップＳ１０９にて放電管３０７の発光に必要な電圧レベルにまで達していないと判定した場合には、必要な電圧レベルに達するまでステップＳ１０９を繰り返す。
【０１１７】
ここで、充電動作の詳細な説明を図４と図６とを用いて行う。図６の［２］ＣＨＧ＿ＯＮで示すように、充電動作を行う前は、ストロボマイコン３１０のＣＨＧ＿ＯＮ端子はＨｉレベルでＰＮＰトランジスタ４０３はオフであるため、ＡＮＤ回路４０７の入力ＩＮ２とＡＮＤ回路４０８の入力ＩＮ２がＬｏレベルとなる。ＡＮＤ回路４０７とＡＮＤ回路４０８の出力ＯＵＴが共にＬｏレベルのため発振ＦＥＴ４１１、発振ＦＥＴ４１２がともにオフとなるため充電動作は行なわれない。
【０１１８】
充電動作を開始させる時、ストロボマイコン３１０のＣＨＧ＿ＯＮ端子をＨｉレベルからＬｏレベルに下げる。ＣＨＧ＿ＯＮ端子をＨｉレベルからＬｏレベルに下げると、抵抗４０１でプルアップされていたＰＮＰトランジスタ４０３のベースが抵抗４０２を介してＬｏレベルに引き下げられ、ＰＮＰトランジスタ４０３がオンする。
【０１１９】
そして、定電圧回路３２２の出力電圧Ｖ１が抵抗４０４を介してＡＮＤ回路４０７の入力ＩＮ２とＡＮＤ回路４０８の入力ＩＮ２に入力されることで、ＡＮＤ回路４０７の入力ＩＮ２とＡＮＤ回路４０８の入力ＩＮ２がＨｉレベルとなる。
【０１２０】
また、図６の［４］４０８ＯＵＴに示すようにストロボマイコン３１０のＣＨＧ＿ＣＬＫ端子からのパルスにより、ＡＮＤ回路４０８の入力ＩＮ１にＨｉレベルとＬｏレベルとが交互に入力される。そして、ＡＮＤ回路４０８の出力ＯＵＴはＣＨＧ＿ＣＬＫ端子からのパルスと同期した信号が出力される。
【０１２１】
同様に、図６の［５］４０７ＯＵＴに示すようにＣＨＧ＿ＣＬＫ端子からのパルスはＮＯＴ回路４０６により反転出力され、ＡＮＤ回路４０７の入力ＩＮ１には反転されたパルスが入力される。そのため、ＡＮＤ回路４０７の出力ＯＵＴはＡＮＤ回路４０８の出力ＯＵＴとはＨｉレベルとＬｏレベルが反転した信号が出力される。
【０１２２】
ＡＮＤ回路４０８の出力ＯＵＴがＨｉレベルになると、抵抗４０９を介して発振ＦＥＴ４１１がオンして電池３０１の正極から発振トランス４１５の一次巻線の４１５ｂから４１５ａを介して発振ＦＥＴ４１１のドレイン−ソース間を流れる。
【０１２３】
一次巻線発振トランス４１５の一次巻線の４１５ｂから４１５ａに電流が流れることより二次巻線４１５ｅから４１５ｆに誘導電流が流れる。そして、ブリッジダイオード４１６の４１６ｉを介して主コンデンサ４１７の正極、負極、ブリッジダイオード４１６の４１６ｊ、二次巻線４１５ｅのループで主コンデンサ４１７の充電が行われる。
【０１２４】
ＡＮＤ回路４０８の出力ＯＵＴがＬｏレベルになると、抵抗４０９を介して発振ＦＥＴ４１１がオフして電池３０１の正極から発振トランス４１５の一次巻線の４１５ｂから４１５ａを介して発振ＦＥＴ４１１はオフし、主コンデンサ４１７の充電は停止する。そして、ＡＮＤ回路４０８の動作と反転してＡＮＤ回路４０７の動作が行なわれてプッシュプル動作となる。
【０１２５】
ＡＮＤ回路４０７の出力ＯＵＴがＨｉレベルになると、抵抗４１２を介して発振ＦＥＴ４１４がオンして電池３０１の正極から発振トランス４１５の一次巻線の４１５ｃから４１５ｄを介して発振ＦＥＴ４１４のドレイン−ソース間を流れる。
【０１２６】
一次巻線発振トランス４１５の一次巻線の４１５ｃから４１５ｄに電流が流れることより二次巻線４１５ｆから４１５ｅに誘導電流が流れる。そして、ブリッジダイオード４１６の４１６ｇを介して主コンデンサ４１７の正極、負極、ブリッジダイオード４１６の４１６ｈ、二次巻線４１５ｆのループで主コンデンサ４１７の充電が行われる。
【０１２７】
ＡＮＤ回路４０７の出力ＯＵＴがＬｏレベルになると、抵抗４１１を介して発振ＦＥＴ４１４がオフして電池３０１の正極から発振トランス４１５の一次巻線の４１５ｃから４１５ｄを介して発振ＦＥＴ４１４はオフし、主コンデンサ４１７の充電は停止する。
【０１２８】
このようにして主コンデンサ４１７の充電が行われるが、このとき充電電流に電流制限がないと発振ＦＥＴ４１１、発振ＦＥＴ４１４より電池３０１がほぼショート状態になるため大電流が流れるとともに電池電圧が低下する。
【０１２９】
そこで、図６の［６］電池電流に示すようにＬＥＤ制御回路３２４の消費電流ｉＬＥＤ（ＬＥＤ）に相当する電流を確保できるように、充電電流の上限値をａ２（Ａ）とする。そして、上限値ａ２（Ａ）に相当する電圧レベルを算出してＶｔｈ１としてストロボマイコン３１０のＤ／Ａ変換端子のＶＲＥＦ（ＰＷＲ）端子に設定する。
【０１３０】
次に、充電電流制限回路２０００の電流制限動作に関して説明する。
コンパレータ２００３は、電池３０１の電圧を分圧した電圧とストロボマイコン３１０のＤ／Ａ変換端子のＶＲＥＦ（ＰＷＲ）端子で設定した電圧（Ｖｔｈ１）を比較する。そして、電池３０１の電圧を分圧した電圧が設定電圧（Ｖｔｈ１）以下の場合はコンパレータ２００３の出力をＬｏに引き下げ、設定電圧（Ｖｔｈ１）を超える場合はＬｏを解除する。このようにして、電池３０１の電圧が低下している間、充電回路３０２−１のＡＮＤ回路４０７の入力ＩＮ２とＡＮＤ回路４０８の入力ＩＮ２がＬｏになるためＡＮＤ回路４０７、ＡＮＤ回路４０８の出力ＯＵＴはＬｏ出力となる。
【０１３１】
そのため、発振ＦＥＴ４１１、発振ＦＥＴ４１４がオン状態でも強制的に発振を停止させるので充電電流が低下し、充電電流が上限値を上回らないようにできる。図１３のフローチャートに戻る。ステップＳ１１０では、充電完了信号を出力して発光準備ができたことを通信ラインＳＣを介してカメラマイコン１０１に知らせる。
【０１３２】
そして、次のステップＳ１１１にて、カメラマイコン１０１より発光開始信号が出力されたかどうかを判別し、発光開始信号が出力されていなければＳ１０２に戻り、上記したステップを繰り返す。一方、発光開始信号が出力されていればステップＳ１１２へ進む。
【０１３３】
Ｓ１１２へ進むと、ストロボマイコン３１０の発光制御端子よりＡＮＤゲート３１１を介して発光制御回路３０８にトリガー信号を与えて放電管３０７の発光を開始させる。
【０１３４】
ここで、発光動作の詳細な説明を図４と図６を用いて行う。
充電回路３０２−１により主コンデンサ４１７に充電を行うと抵抗５０１を介してトリガーコンデンサ５０２に電荷が蓄積される。発光時はストロボマイコン３１０のＴＲＧ端子より矩形波のトリガー信号が出力される。
【０１３５】
これにより抵抗６０１を介して発光用ＩＧＢＴ６０３がオンする。また、ストロボマイコン３１０のＳＴＰ端子よりＨｉレベルが出力される。これにより抵抗６０４を介して発光停止用ＩＧＢＴ６０６がオンする。以上のようにして、放電管３０７の両端と主コンデンサ４１７の両端が接続される。
【０１３６】
発光用ＩＧＢＴ６０３がオンするとトリガーコンデンサ５０２が放電してトリガートランス５０３の一次側にパルス信号が発生する。すると、トリガートランス５０３の二次側に数ｋＶの高電圧が発生して放電管３０７にトリガーがかかり主コンデンサ４１７に蓄積された電荷が放電し発光する。
【０１３７】
図１３のフローチャートに戻る。ステップＳ１１３では、放電管３０７の発光量がカメラマイコン１０１より通信ラインＳＣを介してストロボマイコン３１０に本発光量演算値で決められた光量に相当する発光量に到達したか否かを判定する。あるいは、予め決められたプリ発光量に相当する発光量に到達したか否かを判定する。
【０１３８】
ステップＳ１１３で到達していないと判定された場合は発光を継続させ、到達したと判定された場合はステップＳ１１４へ進む。このとき、カメラマイコン１０１から出力された発光開始信号がプリ発光開始信号か本発光開始信号かに応じて判別に用いる光量レベルを変更させる。
【０１３９】
ステップＳ１１４では、ＡＮＤゲート３１１より発光停止信号を出力し発光制御回路３０８により放電管３０７の発光が停止される。図４での発光停止動作は、適正光量に達したときストロボマイコン３１０のＳＴＰ端子よりＬｏレベルが出力され、抵抗６０４を介して発光停止用ＩＧＢＴ６０６がオフする。それにより放電管３０７の発光は停止する。
この後ステップＳ１０２へ戻り、上記のステップを繰り返す。
【０１４０】
なお、動画撮影中に必要となる補助光の光量が少なく補助光消費電流（ｉＬＥＤ（ＬＥＤ））が少なくなるほど、充電電流が多くなるようにしてもよい。例えば、ステップＳ１０２の充電電流判別処理において、ストロボマイコン３１０のＤ／ＡコンバータによりＶＲＥＦ（ＰＷＲ）端子出力をＶｔｈ１（Ｖ）より大きいＶｔｈ２（Ｖ）に設定可能にすることで、充電電流の上限をａ２（Ａ）よりも少なくことができる。このように、必要となる補助光の光量に応じて充電電流の上限値をより細かく切換えるようにしてもよい。
【０１４１】
以上のように、動画撮影の補助光としてＬＥＤを点灯している際に主コンデンサ４１７の充電動作を行う場合であっても、充電電流の上限を制限することで補助光消費電流（ｉＬＥＤ（ＬＥＤ））を確保することができる。そのため、充電動作中でもＬＥＤ３２５の輝度にばらつきが生じることがなく、明るさにムラが生じない良好な動画像が得ることができる。
【実施例２】
【０１４２】
以下、図５及び図８を参照して、本発明の第２の実施例による充電回路３０２の動作について説明する。実施例２は、実施例１と充電回路の構成が異なっており、図４の充電回路３０２−１の充電方式をフォワード方式から充電回路３０２−２のフライバック方式に変えた構成である。また、実施例１とは、図１３のステップＳ１０３、Ｓ１０４の充電動作について電流制限の方法が後述のように異なっている。
【０１４３】
図８を用いて実施例２における放電管３０７の発行を伴う静止画撮影とそれに続く充電動作及び動画撮影時の補助光動作について説明する。なお、図８の（ａ）ないし（ｇ）は図２の（ａ）ないし（ｇ）とそれぞれ対応しているため、詳細な説明は省略する。
【０１４４】
本実施例では、図８（ｇ−２）のように後述のストロボ装置３００の充電回路３０２−２により充電立ち上がり時の充電電流を制限することでＬＥＤ電流を安定させる。
【０１４５】
図５は第１の実施例で説明した図４の充電回路３０２−１の充電方式をフォワード方式から充電回路３０２−２のフライバック方式に変えた例であり、フライバック方式を用いることで図８（ｇ−２）に示したような充電電流の制限を行うことができる。
【０１４６】
フライバック方式の充電回路３０２−２の構成について以下に述べる。
７０１は電源コンデンサで一端は電池３０１の正極に接続され、他端は電池３０１の負極（ＧＮＤ）に接続されている。７０２は電池３０１の充電電流（後述の発振トランス７０５の一次電流）を検出する充電電流検出回路で、ストロボマイコン３１０のＡ／Ｄコンバータ端子のＰ＿ＩＮ端子と後述の発振トランス７０５に接続されている。なお、充電電流検出回路で電流を検出する代わりに抵抗を用いて電圧を検出することで充電電流を判断するようにしてもよい。
【０１４７】
７０４は充電回路３０２−２の１次側のスイッチ素子である発振ＦＥＴであり、この発振ＦＥＴ７０４のスイッチ動作で電池３０１の充電電流が制御される。発振ＦＥＴ７０４のゲートは、ストロボマイコン３１０ののＣＨＧ＿ＣＬＫ端子及び抵抗７０３に接続されており、ソースは抵抗７０３と電池３０１の負極に接続されており、ドレインは発振トランス７０５の一次側のｂ端子に接続されている。
【０１４８】
７０３は抵抗で発振ＦＥＴ７０４のゲートとソース間に接続され、一端は電池３０１の負極に接続され、他端は発振ＦＥＴ７０４のゲートとストロボマイコン３１０ののＣＨＧ＿ＣＬＫ端子に接続されている。
【０１４９】
７０５は電池３０１の電圧を昇圧して、主コンデンサ４１７に電荷を供給する発振トランスである。発振トランス７０５の７０５ａ端子は充電電流検出回路７０２に接続されており、７０５ｂ端子は発振ＦＥＴ７０４のドレインに接続されている。発振トランス７０５の７０５ｃ端子は後述のダイオード７０７のカソードに接続されており、７０５ｄ端子は後述のダイオード７０６のアノードに接続されている。
【０１５０】
７０６はダイオードで整流ダイオードである。そのアノードは発振トランス７０５の７０５ｄ端子にカソードは主コンデンサ４１７の正極に接続される。７０７はダイオードでそのカソードは発振トランス７０５の７０５ｃ端子に接続されており、そのアノードは後述の抵抗７０８及びＮＰＮトランジスタ７０９のエミッタに接続されている。
【０１５１】
７０８は抵抗であり、その一端はダイオード７０７のアノードに接続され、他端は電池３０１の負極に接続されている。７０９は発振トランス７０５の２次電流検出用のＮＰＮトランジスタであり、エミッタはダイオード７０７のアノード及び抵抗７０８に接続され、ベースは抵抗７０８及び電池３０１の負極に接続され、コレクタは抵抗７１０及び抵抗７１１に接続されている。７１０は抵抗で、その一端は定電圧回路３２２の出力Ｖ１に接続されており、他端は後述の抵抗７１１に接続されている。７１１は抵抗であり、その一端は抵抗７１０に接続されており、他端はストロボマイコン３１０のＳ＿ＩＮ端子に接続されている。
【０１５２】
ストロボマイコン３１０のＳ＿ＩＮ端子は入力端子であり、ＮＰＮトランジスタ７０９がオンされたときに電圧が定電圧回路３２２の出力信号レベルのＨｉレベルからＬｏレベルに下がったことを検出する。
【０１５３】
このときの充電回路３０２−２の動作について図５、図７、図８で説明する。ここで、図７（ａ）は駆動パルス幅をＸ１とした時の駆動シーケンスである。このパルス幅は充電時間が最短になるように設定された時間である。
【０１５４】
図７（ａ）の［１］ＣＨＧ＿ＣＬＫに示すように、ストロボマイコン３１０のＣＨＧ＿ＣＬＫ端子から発振ＦＥＴ７０４のゲートにパルス幅Ｘ１のパルス信号が出力される。これにより、発振ＦＥＴ７０４がオンされ、電池３０１の正極から充電電流検出回路７０２を介して発振トランス７０５のａ端子−ｂ端子、発振ＦＥＴ７０４のドレイン−ソースを介して電流が流れる。
【０１５５】
このとき発振トランス７０５の１次側の流れる電流（以下、１次電流とする）は、パルス幅Ｘ１と電池３０１の電源電圧によって決まり、図７（ａ）［２］１次電流に示すように、１次電流は最大でａ１（Ａ）流れる。なお、このときの電流値は発振トランス７０５が磁気飽和しない値に設定されている。
【０１５６】
ＣＨＧ＿ＣＬＫ端子からのパルス信号がＬｏレベルになり発振ＦＥＴ７０４がオフされると、オン時に発振トランス７０５に蓄えられたエネルギーが放出されるために発振トランス７０５のｃ端子からｄ端子に電流が流れる。  このときの電流は、発振トランス７０５のｄ端子−ダイオード７０６のアノード−カソード、主コンデンサ４１７の正極、負極、抵抗７０８、ダイオード７０７のアノード−カソード、発振トランス７０５のｃ端子の電流ループとなる。
【０１５７】
発振トランス７０５の２次側の流れる電流（以下、２次電流とする）は、図７（ａ）の［３］２次電流に示すように、ＣＨＧ＿ＣＬＫ端子からのパルス信号がＬｏレベルになった直後に最大のｂ１（ｍＡ）となりそこから徐々に下がっていく。
【０１５８】
２次電流が生じると、抵抗７０８に電流が流れて電圧が発生し、ＮＰＮトランジスタ７０９がオンする。このため、定電圧回路３２２の出力は抵抗７１０を介してＮＰＮトランジスタ７０９のコレクタ−エミッタに電流が流れるため、ストロボマイコン３１０のＳ＿ＩＮ端子はＬｏレベルになる。
【０１５９】
発振トランス７０５のエネルギーが放出され、２次電流が下がると抵抗７０８に電流が流れなくなりＮＰＮトランジスタ７０９がオフする。このため、ストロボマイコン３１０のＳ＿ＩＮ端子はＨｉレベルになる。ストロボマイコン３１０のＳ＿ＩＮ端子がＬｏレベルからＨｉレベルに変わると、次の駆動パルスを出力する。
【０１６０】
静止画撮影後にＬＥＤ３２５を点灯させた動画撮影を再開させる場合、ＬＥＤ３２５の点灯中にストロボ充電動作が重畳される。ストロボ充電動作が重畳されることで、ＬＥＤ制御回路３２４とＬＥＤ３２５に供給されるＬＥＤ電流は不安定になり、ＬＥＤ３２５の発光に揺らぎが生じる。そこで、ＬＥＤ３２５の発光に揺らぎが生じないように、以下のようにして、ＬＥＤ３２５の点灯に重畳させてストロボ充電動作を行う場合に、ＬＥＤ３２５の点灯に重畳させずにストロボ充電を行う場合よりも充電電流を小さくする。
【０１６１】
図７（ｂ）は駆動パルス幅をＸ２とした時の駆動シーケンスである。
このパルス幅は補助光消費電流（ｉＬＥＤ（ＬＥＤ））が確保できるように電池３０１の一次電流の上限を制限するために設定された時間である。ここでは充電電流の上限値をａ１（Ａ）より低いａ２（Ａ）に変更している。
【０１６２】
図７（ｂ）の［１］ＣＨＧ＿ＣＬＫに示すように、ストロボマイコン３１０のＣＨＧ＿ＣＬＫ端子から発振ＦＥＴ７０４のゲートにパルス幅Ｘ２のパルス信号が出力される。これにより、発振ＦＥＴ７０４がオンされ、電池３０１の正極から充電電流検出回路７０２を介して発振トランス７０５のａ端子−ｂ端子、発振ＦＥＴ７０４のドレイン−ソースを介して電流が流れる。
【０１６３】
このとき発振トランス７０５の１次電流はパルス幅Ｘ２と電池３０１の電源電圧によって決まり、図７（ｂ）［２］１次電流に示すように、１次電流は最大でａ２Ａ（アンペア）流れる。なお、このときの電流値は発振トランス７０５が磁気飽和しない値に設定されている。
【０１６４】
ＣＨＧ＿ＣＬＫ端子からのパルス信号がＬｏレベルになり発振ＦＥＴ７０４がオフされると、オン時に発振トランス７０５に蓄えられたエネルギーが放出されるために発振トランス７０５のｃ端子からｄ端子に電流が流れる。
【０１６５】
このときの電流は、発振トランス７０５のｄ端子−ダイオード７０６のアノード−カソード、主コンデンサ４１７の正極、負極、抵抗７０８、ダイオード７０７のアノード−カソード、発振トランス７０５のｃ端子の電流ループとなる。
【０１６６】
発振トランス７０５の２次電流は、図７（ｂ）の［３］２次電流に示すように、ＣＨＧ＿ＣＬＫ端子からのパルス信号がＬｏレベルになった直後に最大のｂ２（ｍＡ）となりそこから徐々に下がっていく。
【０１６７】
２次電流が生じると、抵抗７０８に電流が流れて電圧が発生し、ＮＰＮトランジスタ７０９がオンする。このため、定電圧回路３２２の出力は抵抗７１０を介してＮＰＮトランジスタ７０９のコレクタ−エミッタに電流が流れるため、ストロボマイコン３１０のＳ＿ＩＮ端子はＬｏレベルになる。
【０１６８】
発振トランス７０５のエネルギーが放出され、２次電流が下がると抵抗７０８に電流が流れなくなりＮＰＮトランジスタ７０９がオフする。このため、ストロボマイコン３１０のＳ＿ＩＮ端子はＨｉレベルになる。ストロボマイコン３１０のＳ＿ＩＮ端子がＬｏレベルからＨｉレベルに変わると、次の駆動パルスを出力する。
【０１６９】
以上のように、ストロボマイコン３１０のＣＨＧ＿ＣＬＫ端子出力の駆動パルス幅を、図１３のステップＳ１０３へ進んだ場合はＸ１に設定し、ステップＳ１０４へ進んだ場合はＸ２に設定することで、充電電流の上限値を切換えている。
【０１７０】
本実施例では、ストロボマイコン３１０のＣＨＧ＿ＣＬＫ端子出力の駆動パルス幅をＸ１とＸ２とで切換えたが、必要となる補助光の光量に応じて駆動パルス幅をより細かく切換えるようにしてもよい。例えば、動画撮影中に必要となる補助光の光量が少なく補助光消費電流（ｉＬＥＤ（ＬＥＤ））が少なくなるほどストロボ充電電流が多くなるように、駆動パルス幅をＸ１を超えない範囲で長くしてもよい。
【０１７１】
以上のように、動画撮影の補助光としてＬＥＤ３２５を点灯している際に主コンデンサ４１７の充電動作を行う場合であっても、充電電流の上限を制限することで補助光消費電流（ｉＬＥＤ（ＬＥＤ））を確保することができる。そのため、充電動作中でもＬＥＤ３２５の輝度にばらつきが生じることがなく、明るさにムラが生じない良好な動画像が得ることができる。
【実施例３】
【０１７２】
以下、図９を参照して、本発明の第３の実施例における放電管３０７の発光を伴う静止画撮影とそれに続く充電動作及び動画撮影時の補助光動作について説明する。なお、図９の（ａ）ないし（ｇ）は図２の（ａ）ないし（ｇ）とそれぞれ対応しているが、動画撮影を再開するタイミング及びＬＥＤ３２５を再点灯させるタイミングが異なっている。すなわち、本実施例は、静止画撮影後に充電動作を開始して、充電動作における充電電流が所定値以下になってからＬＥＤ３２５の再点灯を開始させる点で実施例１と異なっている。
【０１７３】
充電電流は充電動作の開始後に図９（ｇ）に示すように急峻に立ち上がる。そこで、静止画撮影後にＬＥＤ３２５を点灯させた動画撮影を再開させる場合、充電電流がストロボ充電の最大電流（ａ１（Ａ））から補助光消費電流（ｉＬＥＤ（ＬＥＤ））を除いた電流（ａ２（Ａ））以下になるまで待機してから動画撮影を再開させる。
【０１７４】
動画撮影を再開させるタイミングについて、図１４のストロボマイコン３１０の動作フロ−チャートを用いて説明する。なお、ステップＳ３０８以降のステップは図１３のステップＳ１０９以降のステップと同様の処理を行うため説明は省略する。
【０１７５】
ステップＳ３０１では、ストロボマイコン３１０自身のメモリやポートの初期化を行ったあと、ステップＳ３０２で充電回路３０２の充電動作を開始させる。
【０１７６】
ステップＳ３０３では、カメラマイコン１０１から通信ラインＳＣを介して取得したレンズの焦点距離情報を記憶（格納）し、ステップＳ３０４では、自身のメモリ内に記憶されたレンズの焦点距離情報を表示部３２１に表示する。
【０１７７】
ステップＳ３０５では、ステップＳ３０３にて取得したレンズの焦点距離情報に基づいて照射角を演算し、演算された照射角になるようにエンコーダ３１４を介してストロボマイコン３１０の位置信号端子に移動情報を与える。
【０１７８】
次に、ステップＳ３０６で、充電動作における充電電流が所定値以下（ここではａ２（Ａ））になったか否かを判定する。なお、充電電流の値は上述した充電電流検出回路７０２を用いて検出し、充電電流検出回路７０２の出力に基づいてストロボマイコン３１０により充電電流が所定値以下であるか否かを判定する。充電電流が所定値以下である場合にはステップＳ３０７へ進み、補助光消費電流（ｉＬＥＤ（ＬＥＤ））を確保することができるため、動画撮影時に補助光を点灯できることを示す補助光点灯許可信号を通信ラインＳＣを介してカメラマイコン１０１に知らせる。カメラマイコン１０１はこの補助光点灯許可信号を受けて動画撮影を再開させ、ストロボマイコン３１０は、動画撮影の再開に合わせてＬＥＤ３２５の点灯を開始させる。すなわち、ストロボマイコン３１０は、充電電流が所定値を超えているときはＬＥＤ３２５の発光を禁止し、所定値を超えていないときはＬＥＤ３２５の発光を許可する。
【０１７９】
また、カメラマイコン１０１は、静止画撮影後すぐに動画撮影を再開するのではなく、図１１のステップＳ２９においてストロボマイコン３１０から補助光発光許可信号が出力されるまで動画撮影を再開させない。
【０１８０】
このように、充電動作により補助光消費電流（ｉＬＥＤ（ＬＥＤ））が確保できない状態（充電電流が所定値を上回っている状態）のときはＬＥＤ３２５を点灯させないので、ＬＥＤ３２５の発光に揺らぎが生じないようにすることができる。したがって、明るさにムラが生じない良好な動画像が得ることができる。
【０１８１】
なお、上述の３つの実施例では、静止画撮影用の照明（放電管）と動画撮影用の照明（ＬＥＤ）とを有するストロボ装置３００がカメラ本体１００に装着されたカメラシステムを説明したが、静止画撮影用の照明と動画撮影用の照明とを内蔵したカメラでも構わない。その場合、ストロボマイコン３１０が行っていた処理をカメラマイコン１０１が行うようにすればよい。また、上述した３つの実施例でカメラマイコン１０１が行う処理の少なくとも一部をストロボマイコン３１０が行ってもよく、逆に、ストロボマイコン３１０が行う処理の少なくとも一部をカメラマイコン１０１が行ってもよい。
【符号の説明】
【０１８２】
１００  カメラ
１０１  カメラマイコン
３００  ストロボ装置
３０２  充電回路
３０６  トリガー回路
３０７  放電管
３１０  ストロボマイコン
３２４  ＬＥＤ制御回路
３２５  ＬＥＤ
【図１】
2012063600.tif 000003
【図２】
2012063600.tif 000004
【図３】
2012063600.tif 000005
【図４】
2012063600.tif 000006
【図５】
2012063600.tif 000007
【図６】
2012063600.tif 000008
【図７】
2012063600.tif 000009
【図８】
2012063600.tif 000010
【図９】
2012063600.tif 000011
【図１０】
2012063600.tif 000012
【図１１】
2012063600.tif 000013
【図１２】
2012063600.tif 000014
【図１３】
2012063600.tif 000015
【図１４】
2012063600.tif 000016